【事件の表示】
　特願２０１４−１０８３５１「電動工具用装置」拒絶査定不服審判事件〔平成２７年１２月１４日出願公開、特開２０１５−２２３６３８、請求項の数（８）〕について、次のとおり審決する。
【結　論】
　原査定を取り消す。
　本願の発明は、特許すべきものとする。
【理　由】
第１　手続の経緯
　本願は、平成２６年５月２６日の出願であって、その後の手続の概要は、以下のとおりである。 
　平成２９年１０月３１日付け：拒絶理由通知
　平成３０年　１月１２日　　：意見書の提出
　平成３０年　４月２３日付け：拒絶査定（原査定）
　平成３０年　８月　７日　　：審判請求と同時に手続補正書の提出
　平成３０年１１月３０日　　：上申書の提出
第２　原査定の概要 
　原査定（平成３０年４月２３日付け拒絶査定）の概要は次のとおりである。
　本願請求項１〜４に係る発明は、本願の出願前に頒布された引用文献１に記載された発明及び引用文献２に記載された事項に基づいて、その出願前にその発明の属する技術の分野における通常の知識を有する者（以下、「当業者」という。）が容易に発明をすることができたものであるから、特許法第２９条第２項の規定により、特許を受けることができない。
　本願請求項７に係る発明は、本願の出願前に頒布された引用文献１に記載された発明並びに引用文献２及び３に記載された事項に基づいて、その出願前に当業者が容易に発明をすることができたものであるから、特許法第２９条第２項の規定により、特許を受けることができない。
　本願請求項８に係る発明は、本願の出願前に頒布された引用文献１に記載された発明並びに引用文献２、３及び４に記載された事項に基づいて、その出願前に当業者が容易に発明をすることができたものであるから、特許法第２９条第２項の規定により、特許を受けることができない。
引用文献等一覧  
１．特開２０１３−２５５９６２号公報
２．特開２０１３−１８４２６６号公報
３．特開２０１４−２１５３８号公報
４．特開２０１３−２５５９６５号公報
第３　審判請求時の補正について 
　審判請求時の補正（以下、「本件補正」という。）は、特許法第１７条の２第３項から第６項までの要件に違反しているものとはいえない。
　本件補正によって、出願時の請求項１の「設定変更が可能な動作条件・・・記憶部」という記載の前に「前記外部機器から送信され、前記通信部にて受信された、前記動作条件の変更要求に従い」と限定を付加する補正（以下、「本件補正１」という。）がなされた。 
　また、出願時の請求項１の「前記動作条件の内、・・・記憶部と、外部機器との間で通信を行う通信部と、」という記載について、「記憶部」と「通信部」の説明の順番を入れ替え、「外部機器との間で通信を行う通信部と、前記動作条件の内、・・・記憶部と、」とする補正（以下、「本件補正２」という。）がなされた。
　これら補正は特許法第１７条の２第５項各号に掲げる事項を目的とするものであるか、また、当該補正は新規事項を追加するものではないかについて検討する。
　本件補正１は、本件補正前の請求項１に記載された発明を特定するために必要な事項である「設定変更が可能な動作条件」について、限定を付加するものであって、補正前の請求項１に記載された発明と補正後の請求項１に記載された発明の産業上の利用分野及び解決しようとする課題が同一であるから、特許法第１７条の２第５項第２号の特許請求の範囲の減縮を目的とするものに該当する。また、本件補正１は、当初明細書の段落【００１０】や出願時の請求項２に記載されているから、当初明細書等に記載された事項であり、新規事項を追加するものではない。
　そして、本件補正２は、本件補正１により「記憶部」に関する説明に「通信部」なる記載を含むこととなったため、「記憶部」と「通信部」の説明の順番を入れ替えたものであり、特許法第１７条の２第５項第４号に掲げる明りょうでない記載の釈明を目的とするものに該当する。また、本件補正２は、単に記載の順番を入れ替えたのみであるから、当初明細書等に記載された事項であり、新規事項を追加するものではない。
　そして、「第４　本願発明」から「第６　対比・判断」までに示すように、補正後の請求項１〜８に係る発明は、独立特許要件を満たすものである。
第４　本願発明 
　本願請求項１〜８に係る発明（以下、それぞれ「本願発明１」〜「本願発明８」という。）は、平成３０年８月７日提出の手続補正書で補正された特許請求の範囲の請求項１〜８に記載された事項により特定される以下のとおりの発明である（下線は請求人が付与）。
「【請求項１】 
　電動工具、該電動工具に装着されるバッテリ、又は、該バッテリを充電する充電器にて構成される電動工具用装置であって、
　予め設定された動作条件に従い電動工具用装置の動作を制御する制御部と、
　
外部機器との間で通信を行う通信部と、
　前記動作条件の内、
前記外部機器から送信され、前記通信部にて受信された、前記動作条件の変更要求に従い
と、
　を備え、前記制御部は、前記通信部にて受信された前記外部機器からの要求に従い、前記記憶部から前記設定可能項目及び設定可能範囲を読み出し、前記通信部を介して前記外部機器に送信することを特徴とする電動工具用装置。
　【請求項２】
　前記制御部は、
　前記通信部にて前記外部機器から送信された前記動作条件の変更要求が受信されると、該変更要求が、前記記憶部に記憶された設定可能項目及び設定可能範囲に対応するか否かを判断し、前記変更要求が前記設定可能項目及び設定可能範囲に対応する場合には、当該変更要求に従い前記動作条件を設定変更し、当該変更要求が前記設定可能項目及び設定可能範囲に対応しない場合には、前記動作条件の設定変更を禁止、または、当該変更要求を修正して設定変更、することを特徴とする請求項１に記載の電動工具用装置。
　【請求項３】
　前記制御部は、
　前記変更要求が、前記記憶部に記憶された設定可能項目に対応していて前記設定可能範囲外にある場合には、当該変更要求に従い、前記動作条件を前記設定可能範囲内で前記変更要求に最も近い上限値若しくは下限値に設定することを特徴とする請求項２に記載の電動工具用装置。
　【請求項４】
　前記制御部は、前記変更要求が前記設定可能項目及び設定可能範囲の少なくとも一方に対応しない場合には、その旨を、報知部を介して報知することを特徴とする請求項２又は請求項３に記載の電動工具用装置。
　【請求項５】
　前記記憶部には、前記設定可能項目及び前記設定可能範囲に加え、前記動作条件を設定変更する際の最小単位である設定可能ステップ値が記憶されており、
　前記制御部は、前記外部機器からの要求に従い、前記設定可能項目及び設定可能範囲を前記外部機器に送信する際には、前記設定可能ステップ値も送信することを特徴とする請求項１〜請求項４の何れか１項に記載の電動工具用装置。
　【請求項６】
　前記制御部は、
　前記通信部にて前記外部機器から送信された前記動作条件の変更要求が受信され、該変更要求に従い前記動作条件を設定変更する際、該変更要求により指定された前記動作条件の変更値が前記設定可能ステップ値に対応しない場合には、当該変更値を前記設定可能ステップ値に対応した変更値に補正し、前記動作条件を設定変更することを特徴とする請求項５に記載の電動工具用装置。
　【請求項７】
　前記制御部は、当該電動工具用装置の動作制御時に、前記通信部にて前記外部機器から送信された前記動作条件の変更要求が受信されると、前記電動工具用装置の動作を停止させることを特徴とする請求項１〜請求項６の何れか１項に記載の電動工具用装置。
　【請求項８】
　前記通信部は、前記外部機器との間で近接無線通信を行うように構成されていることを特徴とする請求項１〜請求項７の何れか１項に記載の電動工具用装置。」  
第５　引用文献、引用発明等 
１　引用文献１について 
（１）原査定の拒絶の理由に引用された引用文献１には、図面とともに次の事項が記載されている（下線は理解の便のため当審にて付与。以下同）。 
ア　段落【００４３】
「図１及び図２に示すように、
電子パルスドライバ１
制御部７
イ　段落【００４８】
「基板収容部２３には、
電子パルスドライバ１を制御する制御部７
電池２６が着脱可能に設けられている。
ウ　段落【００５５】
「制御部７は、制御回路基板７１と、制御回路基板７１の上面に設けられたマイコン８３と、制御回路基板７１の下面に設けられた接続部７２と、を主に備えている。接続部７２は、制御回路基板７１の下面から下方に突出するように設けられていて、通信ケーブル８（図６）を接続可能である。図３及び図４に示すように、接続部７２は、蓋７３及び接続端子７４を備えており、接続端子７４は蓋７３によって開閉可能に構成されている。締結作業時は、図３に示すように、蓋７３で接続端子７４を閉塞することで、接続端子７４に粉塵等が付着することを防止できる。
外部機器９との接続時には、図４に示すように、蓋７３を開けることで通信ケーブル８を接続端子７４と接続することができる。接続部７２は、本発明の通信手段に相当する。
エ　段落【００５７】
「制御部７は、電池２６に接続されると共にトリガ２５、インバータ回路６、モード切替スイッチ２７Ａ、モード表示ランプ２７Ｂ、正逆切替レバー２８、接続端子７４に接続されている。また、制御部７は、電流検出回路７５と、スイッチ操作検出回路７６と、印加電圧設定回路７７と、回転方向設定回路７８と、モード設定回路７９と、回転子位置検出回路８０と、回転数検出回路８１と、ＬＥＤ点灯回路８２と、を備えている。マイコン８３は、
電子パルスドライバ１を制御するための制御モード及び各種パラメータを記憶するプログラム格納部８３Ａ
プログラム格納部８３Ａは、本発明の記憶部に相当する。
オ　段落【００６６】
「通信ケーブル８は、図６に示すように、通信ケーブル８の一端に設けられ接続端子７４に接続可能な端子ボックス８５と、端子ボックス８５に収容された通信変換回路８６と、通信ケーブル８の他端に設けられ外部機器９と接続可能な外部機器接続部８７とを備えている。通信変換回路８６は、電子パルスドライバ１から出力された通信信号を外部機器９でも読取可能な信号に変換するための回路である。外部機器接続部８７は、例えば、ＵＳＢ（ユニバーサル・シリアル・バス）やシリアルケーブル等である。」
カ　段落【００６７】
「外部機器９は、表示部９１と、入力部９２と、外部機器接続部８７と接続可能な被接続部９３とを備えている。外部機器９は、例えばＰＣ（パーソナルコンピュータ）であって、図示せぬＣＰＵ、ＲＯＭ、ＲＡＭ、等を備えている。外部機器９は、通信ケーブル８を介して電子パルスドライバ１と接続することにより、電子パルスドライバ１と通信することができる。電子パルスドライバ１が外部機器９と接続されているときは、電池２６は取り外された状態であるが、電子パルスドライバ１には通信ケーブル８を介して外部機器９から電源が供給されている。従って、モード切替パネル２７のモード表示ランプ２７Ｂは、現在選択されている制御モードが点灯した状態である。
外部機器９には、電子パルスドライバ１の制御モードを設定するためのアプリケーションソフトウェアがＲＯＭに記憶されており、当該ソフトウェアを起動すると、図７に示すウィンドウ９４が表示される。
キ　段落【００７４】
「読出ボタン９５Ｂは、外部機器９のＲＯＭ内に保存された各種パラメータを読み出すためのボタンである。
設定値読込ボタン９５Ｃは、電子パルスドライバ１に保存されている各種パラメータを読み込むためのボタン
具体的には、モード表示ランプ２７Ｂで選択されている制御モードのパラメータが、ウィンドウ９４に表示される。
設定送信ボタン９５Ｅが押下されると、モード表示ランプ２７Ｂで選択されている制御モードの各パラメータがウィンドウ９４に表示されているパラメータに更新される。
ク　段落【００８７】
「このような構成によると、
制御モードを構成するパラメータを外部機器９から制御部７にアクセスして設定可能であるため、作業内容に応じた最適なパラメータを設定することで、ユーザ自身が様々な作業に適した特有の制御モードを容易に作り出すことが可能となる。
ケ　図６
コ　図７
（２）上記（１）での記載から，引用文献１には，次の技術的事項が開示されていると認められる。
ア　上記（１）ア及びイには、電池２６が着脱可能に設けられている電子パルスドライバ１が開示されている。
イ　上記（１）イ、ウ及びクには、制御モードを構成するパラメータに従い、電子パルスドライバ１の動作を制御する制御部７が開示されている。 
ウ　上記（１）ウには、外部機器９との間で通信を行う接続部７２が開示されている。
エ　上記（１）ウ及びキには、制御モードのパラメータは、外部機器９から送信され、接続部７２にて受信されること、外部機器９での設定送信ボタン９５Ｅの操作に従い、パラメータの設定変更が可能なことが開示されている。また、上記（１）エには、パラメータを記憶するプログラム格納部８３Ａが開示されている。
　以上をまとめると、上記（１）ウ、エ及びキには、制御モードのパラメータの内、外部機器９から送信され、接続部７２にて受信された、設定送信ボタン９５Ｅの操作に従い設定変更が可能なパラメータが記憶されたプログラム格納部８３Ａが開示されている。
オ　上記（１）キには、外部機器９の設定値読込ボタン９５Ｃの操作に従い、パラメータが読み出され、外部機器９に送信されることが開示されている。また、上記（１）クから、電子パルスドライバ１内で外部機器９に上記送信する主体は制御部７であると読み取れる。上記（１）ウから、電子パルスドライバ１内で、設定値読込ボタン９５Ｃの操作が受信されるのは、接続部７２であり、また、パラメータは接続部７２を介して外部機器９に送信されることは自明である。上記（１）エから、パラメータが読み出されるのはパラメータを記憶するプログラム格納部８３Ａであることは自明である。
　以上をまとめると、上記（１）ウ、エ、キ及びクには、制御部７は、接続部７２で受信された外部機器９の設定値読込ボタン９５Ｃの操作に従い、プログラム格納部８３Ａからパラメータを読み出し、接続部７２を介して外部機器９に送信することが開示されている。
（３）上記（２）から、引用文献１には次の発明（以下、「引用発明」という。）が開示されていると認められる。 
  
「電池２６が着脱可能に設けられている電子パルスドライバ１であって、
　制御モードを構成するパラメータに従い電子パルスドライバ１の動作を制御する制御部７と、
　外部機器９との間で通信を行う接続部７２と、
　制御モードのパラメータの内、外部機器９から送信され、接続部７２にて受信された、設定送信ボタン９５Ｅの操作に従い設定変更が可能なパラメータが記憶されたプログラム格納部８３Ａと、
　を備え、制御部７は、接続部７２で受信された外部機器９の設定値読込ボタン９５Ｃの操作に従い、プログラム格納部８３Ａからパラメータを読み出し、接続部７２を介して外部機器９に送信する電子パルスドライバ１。」
２　引用文献２について 
（１）原査定の拒絶の理由に引用された引用文献２には、図面とともに次の事項が記載されている。 
ア　段落【００２１】
「以下、本発明の第１の実施形態に係る
電動工具の一例である電子パルスドライバ１
イ　段落【００２２】
「図１に示すように、
電子パルスドライバ１は、本体１Ａ及び電池２４から構成されている。
制御部７
ウ　段落【００３３】
「制御部７は、ハンドル部２２内の電池２４近傍位置に配置された基板に搭載されており、電池２４に接続されると共にトリガ２５、インバータ回路基板６、図示せぬスイッチ、及び表示部２６Ａに接続されている。また、図２に示すように、制御部７は、電流検出回路７１と、スイッチ操作検出回路７２と、印加電圧設定回路７３と、回転方向設定回路７４と、回転子位置検出回路７５と、回転角度検出回路７６と、演算部７８と、制御信号出力回路７９と、表示回路部８０と外部接続端子８１とを備えている。
外部接続端子８１は、外部機器であるＰＣ１０（図４）を本体１Ａに接続するための端子であり、ハンドル部２２の電池２４に対向する部分に設けられている。
エ　段落【００４１】
「演算部７８は、図示していないが、処理プログラムとデータに基づいて駆動信号を出力するための中央処理装置（ＣＰＵ）と、データを記憶するための書き換え可能なＥＥＰＲＯＭ８０と、タイマとを備えている。ＥＥＰＲＯＭ８０には、締付トルクの基準値として締付トルクの最大値及び最小値と、最大値と最小値との間を所定数等分割して得られる複数の規定値が記憶される。尚規定値の内の最小の規定値は基準値における最小値と同値であり、最大の規定値は基準値における最大値と同値である。これら最大値、最小値、複数の規定値をまとめて設定値と定義する。すなわち、
ＥＥＰＲＯＭ８０には、締付トルクの最大値及び最小値と、最大値と最小値との間のトルク領域に応じて分割される分割数に応じたトルク値が記憶される。
オ　段落【００４４】
「ＰＣ１０は公知のパソコンであり、図４に示されるように、ケーブル１０Ａで電子パルスドライバ１と接続されている。ＰＣ１０においては、図６に示されるように、
画面上
カ　段落【００４５】
「動作モード設定ウィンドウ１１には、コネクトボタン１１Ａと、既存設定値表示領域１１Ｂと、設定値入力領域１１Ｃと、設定値表示領域１１Ｄと、設定値読込ボタン１１Ｅと、メッセージ表示領域１１Ｆと、設定値送信ボタン１１Ｇとが主に表示されており、上述の動作モードである最大値等の設定値を設定している。
コネクトボタン１１Ａは、ＰＣ１０と電子パルスドライバ１とがケーブル１０Ａで接続された後にクリックされることにより、ＰＣ１０で電子パルスドライバ１を認識している。既存設定値表示領域１１Ｂは、現在工具内のＥＥＰＲＯＭ８０で記憶している設定値を表示している。
設定値送信ボタン１１Ｇは、クリックされることにより設定値表示領域１１Ｄに表示されている値を電子パルスドライバ１に送信し、ＥＥＰＲＯＭ８０に記憶させている。
キ　段落【００４６】
「上記構成の電子パルスドライバ１及びＰＣ１０において、動作モードを設定する工程について図５のフローチャート（基準変更手段）及び動作モード設定ウィンドウ１１に基づき説明する。まず、電子パルスドライバ１とＰＣ１０とを接続した状態で、Ｓ０１に進み、
コネクトボタン１１ＡをクリックしてＥＥＰＲＯＭ８０に記憶されている設定値を読み込む。
ク　段落【００４７】
「Ｓ０４では設定値入力領域１１Ｃに最大値を入力し、次にＳ０５へ進んで最小値を入力し、次にＳ０６へ進んで規定値の元になる動作段数を入力する。
最大値及び最小値は、１０〜１Ｎｍの間で設定可能であり、動作段数は、最大１０段である。
ケ　図８
（２）上記（１）での記載から，引用文献２には，次の技術的事項が開示されていると認められる。
ア　上記（１）ア及びイには、本体１Ａ及び電池２４にて構成される電動工具が開示されている。
イ　上記（１）イには、電動工具の駆動を制御する制御部７が開示されている。 
ウ　上記（１）ウには、外部機器との間で通信を行う外部接続端子８１が開示されている。 
エ　上記（１）エには、締付トルクの最大値及び最小値と、最大値と最小値との間のトルク領域に応じて分割される分割数に応じたトルク値が記憶される電動工具内のＥＥＰＲＯＭ８０が開示されている。
オ　上記（１）エ、ク及びケから、締付トルクの最大値及び最小値は、１０〜１Ｎｍの間で設定可能であり、最大値と最小値との間のトルク領域に応じて分割される分割数は最大１０段で設定可能であることが開示されている。
カ　上記（１）カには、外部機器での入力により変更された設定値が、設定値送信ボタン１１Ｇのクリックにより電動工具に送信され、電動工具内のＥＥＰＲＯＭ８０で記憶されることが開示されている。
キ　上記（１）オ、カ及びキには、外部機器のコネクトボタン１１Ａのクリックにより、電動工具内のＥＥＰＲＯＭ８０に記憶されている設定値が読み込まれ、外部機器の画面に表示されることが開示されている。
（３）上記（２）から、引用文献２には次の事項（以下、「引用文献２記載の技術的事項」という。）が開示されていると認められる。 
  
 「本体１Ａ及び電池２４にて構成される電動工具であって、
　電動工具の駆動を制御する制御部７と、
　外部機器との間で通信を行う外部接続端子８１と、
　を備え、
　電動工具の締付トルクの最大値及び最小値は、１０〜１Ｎｍの間で設定可能であり、最大値と最小値との間のトルク領域に応じて分割される分割数は最大１０段で設定可能であること、
　外部機器での入力により変更された上記設定値が、設定値送信ボタン１１Ｇのクリックにより電動工具に送信され、電動工具内のＥＥＰＲＯＭ８０で記憶されること、
　外部機器のコネクトボタン１１Ａのクリックにより、電動工具内のＥＥＰＲＯＭ８０に記憶されている設定値が読み込まれ、外部機器の画面に表示されること。」
３．その他の文献について 
　原査定の拒絶の理由において、請求項７で特定された事項を示唆するものとして引用された引用文献３の段落【００２８】には、外部機器から送信された動作条件の変更要求が受信されると、電動工具用装置の運転を禁止することが記載されている。
　また、原査定の拒絶の理由において、請求項８で特定された事項を記載するものとして引用された引用文献４の段落【００１８】には、電動工具用装置の通信部が、外部機器との間で近接無線通信を行うことが記載されている。
第６　対比・判断 
１　本願発明１について 
（１）引用発明との対比 
　本願発明１と引用発明とを対比すると、次のことがいえる。 
　引用発明における「電池２６」、「電子パルスドライバ１」、「制御モードを構成するパラメータ」、「制御部７」、「外部機器９」、「接続部７２」、「プログラム格納部８３Ａ」は、それぞれ、本願発明１における「バッテリ」、「電動工具」及び「電動工具用装置」、「動作条件」、「制御部」、「外部機器」、「通信部」、「記憶部」に相当する。 
　したがって、引用発明における「電池２６が着脱可能に設けられている電子パルスドライバ１」は、本願発明１における「電動工具、該電動工具に装着されるバッテリ、又は、該バッテリを充電する充電器にて構成される電動工具用装置」に相当する。
　引用発明における「制御モードを構成するパラメータ」は、予め設定されることは自明であるので、本願発明１における「予め設定された動作条件」に相当する。
　引用発明における「設定送信ボタン９５Ｅの操作に従い設定変更が可能な」構成は、本願発明１における「動作条件の変更要求に従い設定変更が可能な」構成に相当する。
　引用発明における「記憶された」は、予め記憶されたことは自明であるので、本願発明１における「予め記憶された」に相当する。
　引用発明における「設定送信ボタン９５Ｅの操作に従い設定変更が可能なパラメータ」と本願発明１の「前記動作条件の変更要求に従い設定変更が可能な動作条件を表す設定可能項目及び該動作条件の設定可能範囲」は、「前記動作条件の変更要求に従い設定変更が可能な動作条件に関連する情報」という点で一致する。
　引用発明における「外部機器９の設定値読込ボタン９５Ｃの操作」は、本願発明１における「前記外部機器からの要求」に相当する。
　したがって、本願発明１と引用発明との間には、次の一致点、相違点１があるといえる。
（一致点） 
「電動工具、該電動工具に装着されるバッテリ、又は、該バッテリを充電する充電器にて構成される電動工具用装置であって、
　予め設定された動作条件に従い電動工具用装置の動作を制御する制御部と、
　外部機器との間で通信を行う通信部と、
　前記動作条件の内、前記外部機器から送信され、前記通信部にて受信された、前記動作条件の変更要求に従い設定変更が可能な動作条件に関連する情報が予め記憶された記憶部と、
　を備え、前記制御部は、前記通信部で受信された前記外部機器からの要求に従い、前記記憶部から前記動作条件に関連する情報を読み出し、前記通信部を介して前記外部機器に送信する電動工具用装置。」 
（相違点１）
　動作条件に関連する情報が、本願発明１は、「前記動作条件の変更要求に従い設定変更が可能な動作条件を表す設定可能項目及び該動作条件の設定可能範囲」であるのに対して、引用発明は、動作条件の変更要求に従い設定変更が可能な動作条件である点。
（２）相違点１についての判断
　引用文献２には、外部機器の操作者が決定できる締付トルクの最大値及び最小値について記載されている（段落【００４５】及び図８等参照）ものの、その最大値や最小値は、操作者が決定したものであり、「設定可能範囲」すなわち、電動工具自体の性能等により機械的に決定されている条件とは異なる。
　また、「設定可能範囲」について、引用文献２の段落【００４７】には「最大値及び最小値は、１０〜１Ｎｍの間で設定可能であり、動作段数は、最大１０段である」という記載があるものの、当該「１０〜１Ｎｍ」や「最大１０段」が、引用文献２記載の電動工具内の記憶部（ＥＥＰＲＯＭ８０）に記憶されていて、それを外部機器が読み出したかどうかは明らかでない。
　なお、原査定において、電動工具自身に設定可能項目及び設定可能範囲を記憶しておくことについては、引用文献２に示唆されているとの判断がされているが、上述のとおり、引用文献２では、上記「１０〜１Ｎｍ」や「最大１０段」がどのように設定されているかは明らかでない。
　それに対して、本願発明１では、工具側で動作条件の設定可能範囲を記憶していて、外部機器がそれを読み出して、動作条件を変更できる構成とすることにより、「動作条件を設定変更するには、使用者は、設定可能項目や設定可能範囲を把握している必要がある。そして、このためには、電動工具のマニュアルや製造会社のホームページ等で設定可能項目や設定可能範囲を調べる必要があり、動作条件設定前の準備が面倒であるという問題があった。」（本願明細書の段落【０００４】参照）という従来の課題を解決するものであるとされている。
　以上のように、引用文献２には、工具側で動作条件の設定可能範囲を記憶していて、外部機器がそれを読み出して、動作条件を変更する旨の記載は無いこと、また、引用文献３及び４のいずれの文献にも当該記載は無いことに鑑みれば、引用発明に接した当業者が、電動工具用装置の記憶部に「設定変更が可能な動作条件を表す設定可能項目及び該動作条件の設定可能範囲が予め記憶され」る構成を採用し、上記相違点１に係る構成とする動機付けを認めることはできない。
　したがって、本願発明１は、当業者であっても引用発明、引用文献２〜４に記載された技術的事項等に基づいて容易に発明できたものであるとはいえない。
２　本願発明２〜８について
　本願発明２〜８も、本願発明１を引用するものであり、本願発明１の電動工具用装置の「前記動作条件の内、前記外部機器から送信され、前記通信部にて受信された、前記動作条件の変更要求に従い設定変更が可能な動作条件を表す設定可能項目及び該動作条件の設定可能範囲が予め記憶された記憶部」と同様の構成を備えるものであるから、本願発明１と同じ理由により、当業者であっても、引用発明並びに引用文献２記載の技術的事項及び引用文献３〜４に基づいて容易に発明できたものとはいえない。
第７　原査定についての判断
　補正後の請求項１は引用発明と上記相違点１を有し、また、補正後の請求項２〜８についても、補正後の請求項１を引用するものであり、上記相違点１を有するものとなった。
　そして、上記相違点１は、原査定における引用文献１〜４のいずれにも記載されておらず、本願出願日前における周知技術でもないので、本願発明１〜８は、当業者であっても、原査定における引用文献１〜４に基づいて容易に発明できたものではない。したがって、原査定の理由を維持することはできない。
第８　むすび  
　以上のとおり、原査定の拒絶の理由によって、本願を拒絶することはできない。 
　また、他に本願を拒絶すべき理由を発見しない。 
　よって、結論のとおり審決する。